【事件の表示】
　特許第３０９０７８１号「測量機」の請求項１、２、４に係る特許に対する特許異議の申立てについて、次のとおり決定する。
【結　論】
　訂正を認める。
　特許第３０９０７８１号の請求項１、２、４に係る特許を取り消す。
【理　由】
【１】手続の経緯
　本件特許第３０９０７８１号の請求項１乃至６に係る発明についての出願は、平成４年５月２２日に特許出願され、平成１２年７月２１日に設定登録され、その後、株式会社　ソキアより請求項１、２及び請求項４に係る特許に対して特許異議の申立てがなされ、取消理由通知がなされたところ、その指定期間内である平成１４年６月２５日に訂正請求がなされたものである。
【２】訂正の適否
１．訂正事項
ａ．特許請求の範囲の請求項１の「垂直軸回りに回転可能に設けられた測量機本体と、この測量機本体に水平軸回りに回転可能に設けられた鏡筒部とを備えた測量機において、前記測量機本体を予め設定された所定角度だけ回転させるための操作スイッチと、この操作スイッチが操作されたとき前記測量機本体を設定された所定角度だけ回転させる回転手段とを設けた」を「垂直軸回りに回転可能に設けられた測量機本体と、この測量機本体に水平軸回りに回転可能に設けられた鏡筒部とを備えた測量機において、前記測量機本体を回転させるための予め設定された所定角度に対応した操作スイッチと、この操作スイッチが操作されたとき前記測量機本体を予め設定された所定角度だけ回転させる回転手段とを設けた」に訂正する。
ｂ．特許請求の範囲の請求項２の「垂直軸回りに回転可能に設けられた測量機本体と、この測量機本体に水平軸回りに回転可能に設けられた鏡筒部とを備えた測量機において、前記鏡筒部を予め設定された所定角度だけ回転させるための操作スイッチと、この操作スイッチが操作されたとき前記鏡筒部を設定された所定角度だけ回転させる回転手段とを設けた」を「垂直軸回りに回転可能に設けられた測量機本体と、この測量機本体に水平軸回りに回転可能に設けられた鏡筒部とを備えた測量機において、前記鏡筒部を回転させるための予め設定された所定角度に対応した操作スイッチと、この操作スイッチが操作されたとき前記鏡筒部を予め設定された所定角度だけ回転させる回転手段とを設けた」に訂正する。
ｃ．特許請求の範囲の請求項４の「垂直軸回りに回転可能に設けられた測量機本体と、この測量機本体に水平軸回りに回転可能に設けられた鏡筒部とを備えた測量機において、前記測量機または銀筒部を予め設定された所定角度だけ回転させるための操作スイッチと、この操作スイッチが操作されたとき前記測量機および前記鏡筒部を設定された所定角度だけ回転させる回転手段とを設けた」を「垂直軸周りに回転可能に設けられた測量機本体と、この測量機本体に水平軸回りに回転可能に設けられた鏡筒部とを備えた測量機において、前記測量機本体または鏡筒部を回転させるための予め設定された所定角度に対応した操作スイッチと．この操作スイッチが操作されたとき前記測量機本体および前記鏡筒部を予め設定された所定角度だけ回転させる回転手段とを設けた」に訂正する。
ｄ．明細書第３頁の【０００９】【００１０】の段落
　「【課題を解決するための手段】
　請求項１の発明は、垂直軸回りに回転可能に設けられた測量機本体と、この測量機本体に水平軸回りに回転可能に設けられた鏡筒部とを備えた測量機において、
　前記測量機本体を予め設定された所定角度だけ回転させるための操作スイッチと、この操作スイッチが操作されたとき前記測量機本体を設定された所定角度だけ
　回転させる回転手段とを設けたことを特徴とする。
　請求項２の発明は、垂直軸回りに回転可能に設けられた測量機本体と、この測量機本体に水平軸回りに回転可能に設けられた鏡筒部とを備えた測量機において、
　前記鏡筒部を予め設定された所定角度だけ回転させるための操作スイッチと、この操作スイッチが操作されたとき前記鏡筒部を設定された所定角度だけ回転させる回転手段とを設けたことを特徴とする。
　請求項３の発明は、垂直軸回りに回転可能に設けられた測量機本体と、この測量機本体に水平軸回りに回転可能に設けられた鏡筒部とを備えた測量機において、
　　前記測量機本体または鏡筒部を予め設定された所定角度だけ回転させるための操作スイッチと、この操作スイッチの操作によって回転させる測量機本体または鏡筒部を切り換える切換スイッチと、前記操作スイッチが操作されたとき、切換スイッチの操作により切り換えられた測量機本体または鏡筒部を所定角度だけ回転させる回転手段とを設けたことを特徴とする。
　請求項４の発明は、垂直軸周りに回転可能に設けられた測量機本体と、この測量機本体に水平軸回りに回転可能に設けられた鏡筒部とを備えた測量機において、
　前記測量機本体または鏡筒部を予め設定された所定角度だけ回転させるための操作スイッチと、
　　この操作スイッチが操作されたとき前記測量機本体および前記鏡筒部を設定された所定角度だけ回転させる回転手段とを設けたことを特徴とする。
　請求項５の発明は、少なくとも２つのスイッチを同時に操作することにより、
　　前記設定された所定角度を変えることが可能なことを特徴とする。
　請求項６の発明は、垂直軸回りに回転可能に設けられた測量機本体と、この測量機本体に水平軸回りに回転可能に設けられた鏡筒部とを備えた測量機において、所定方向へ回転させる角度を少なくとも一つ表示する表示手段と、
　前記角度に対応した操作スイッチと、
　この操作スイッチを操作したときに前記表示手段に表示されている角度だけ前記測量機本体または鏡筒部を回転させる回転手段とを設けたことを特徴とする。」を
　「請求項１の発明は、垂直軸回りに回転可能に設けられた測量機本体と、この測量機本体に水平軸回りに回転可能に設けられた鏡筒部とを備えた測量機において、
　前記測量機本体を回転させるための予め設定された所定角度に対応した操作スイッチと、
　この操作スイッチが操作されたとき前記測量機本体を予め設定された所定角度だけ回転させる回転手段とを設けたことを特徴とする測量機。
　請求項２の発明は、垂直軸回りに回転可能に設けられた測量機本体と、この測量機本体に水平軸回りに回転可能に設けられた鏡筒部とを備えた測量機において、
　前記鏡筒部を回転させるための予め設定された所定角度に対応した操作スイッチと、
　この操作スイッチが操作されたとき前記鏡筒部を予め設定された所定角度だけ回転させる回転手段とを設けたことを特徴とする。
　請求項３の発明は、垂直軸回りに回転可能に設けられた測量機本体と、この測量機本体に水平軸回りに回転可能に設けられた鏡筒部とを備えた測量機において、前記測量機本体または鏡筒部を予め設定された所定角度だけ回転させるための操作スイッチと、この操作スイッチの操作によって回転させる測量機本体または鏡筒部を切り換える切換スイッチと、前記操作スイッチが操作されたとき、切換スイッチの操作により切り換えられた測量機本体または鏡筒部を所定角度だけ回転させる回転手段とを設けたことを特徴とする。
　請求項４の発明は、垂直軸周りに回転可能に設けられた測量機本体と、この測量機本体に水平軸回りに回転可能に設けられた鏡筒部とを備えた測量機において、
　前記測量機本体または鏡筒部を回転させるための予め設定された所定角度に対応した操作スイッチと、
　この操作スイッチが操作されたとき前記測量機本体および前記鏡筒部を予め設定された所定角度だけ回転させる回転手段とを設けたことを特徴とする。
　　請求項５の発明は、少なくとも２つのスイッチを同時に操作することにより、前記設定された所定角度を変えることが可能なことを特徴とする請求項１ないし請求項４のいずれか記載の測量機。
　　請求項６の発明は、垂直軸回りに回転可能に設けられた測量機本体と、この測量機本体に水平軸回りに回転可能に設けられた鏡筒部とを備えた測量機において、所定方向へ回転させる角度を少なくとも一つ表示する表示手段と、前記角度に対応した操作スイッチと、この操作スイッチを操作したときに前記表示手段に表示されている角度だけ前記測量機本体または鏡筒部を回転させる回転手段とを設けたことを特徴とする。」に訂正する。
ｅ．明細書第３頁の【００１１】の段落と第４頁の【００１２】の段落
　　「【００１１】
　　　【作用】
　請求項１の発明では、操作スイッチが操作されると回転手段が測量機本体を設定された所定角度だけ回転させる。
　　請求項２の発明では、操作スイッチが操作されると回転手段が測量機本体を設定された所定角度だけ回転させる。
　　請求項３の発明では、操作スイッチが操作されたとき、切換スイッチの操作により切り換えられた測量機本体または鏡筒部が回転手段によって所定角度だけ回転される。
　　請求項４の発明では、操作スイッチが操作されると回転手段が測量機本体および鏡筒部を設定された所定角度だけ回転させる。
　　請求項６の発明では、操作スイッチを操作すると表示手段に表示されている角度だけ測量機本体または鏡筒部が回転手段により回転される。」を
　　「【作用】
　　請求項１の発明では、操作スイッチを操作すれば回転手段が測量機本体を予め設定した所定角度だけ回転させるものであるから、測量機本体を回転させるための角度の入力操作が不要となる。すなわち、操作スイッチを１回操作すれば測量機本体を所定角度に回転させることができる。つまり、ワンタッチ操作で測量機本体を所定角度に回転させることができる。しかも、測量機本体を回転させる度に、その都度その回転角度を入力する入力操作が一切不要となる。
　請求項２の発明では、操作スイッチを操作すれば回転手段が鏡筒部を予め設定した所定角度だけ回転させるものであるから、鏡筒部を回転させるための角度の入力操作が不要となる。すなわち、操作スイッチを１回操作すれば鏡筒部を所定角度に回転させることができる。つまり、ワンタッチ操作で鏡筒部を所定角度に回転させることができる。しかも、鏡筒部を回転させる度に、その都度その回転角度を入力する入力操作が一切不要となる。
　請求項３の発明では、操作スイッチが操作されたとき、切換スイッチの操作により切り換えられた測量機本体または鏡筒部が回転手段によって所定角度だけ回転される。
　　請求項４の発明では、操作スイッチを操作すれば回転手段が測量機本体および鏡筒部を予め設定した所定角度だけ回転させるものであるから、測量機本体および鏡筒部を回転させるための角度の入力操作が不要となる。すなわち、操作スイッチを１回操作すれば測量機本体および鏡筒部を所定角度に回転させることができる。つまり、ワンタッチ操作で測量機本体および鏡筒部を所定角度に回転させることができる。しかも、測量機本体および鏡筒部を回転させる度に、その都度その回転角度を入力する入力操作が一切不要となる。
　請求項６の発明では、操作スイッチを操作すると表示手段に表示されている角度だけ測量機本体または鏡筒部が回転手段により回転される。」に訂正する。
ｆ．明細書第１１頁の【００４７】の段落
　「　【発明の効果】
　　この発明によれば、測量機本体や鏡筒部を回転させる操作は簡単なものとなる。」を「測量機本体や鏡筒部を回転させるための角度の入力操作が不要となる。
　すなわち、操作スイッチを１回操作すれば測量機本体や鏡筒部を所定角度に回転させることができる。つまり、ワンタッチ操作で測量機本体や鏡筒部を所定角度に回転させることができる。しかも、測量機本体や鏡筒部を回転させる度に、その都度その回転角度を入力する入力操作が一切不要となる。」に訂正する。　　　　　　　　
２．訂正の目的の適否、新規事項の有無及び拡張・変更の存否
（１）訂正ａについて
　訂正ａは「測量機本体を予め設定された所定角度だけ回転させるための操作スイッチ」、「設定された所定角度だけ回転させる回転手段」を、それぞれ、「測量機本体を回転させるための予め設定された所定角度に対応した操作スイッチ」、「予め設定された所定角度だけ回転させる回転手段」と限定するものであり、特許請求の範囲の減縮に相当するものである。
　また、この訂正ａは訂正前の明細書に記載された事項に基づくものであり、特許請求の範囲を実質上拡張又は変更するものではない。
（２）訂正ｂについて
　訂正ｂは「鏡筒部を予め設定された所定角度だけ回転させるための操作スイッチ」、「設定された所定角度だけ回転させる回転手段」を、それぞれ、「鏡筒部を回転させるための予め設定された所定角度に対応した操作スイッチ」、「予め設定された所定角度だけ回転させる回転手段」と限定するものであり、特許請求の範囲の減縮に相当するものである。
　また、この訂正ｂは訂正前の明細書に記載された事項に基づくものであり、特許請求の範囲を実質上拡張又は変更するものではない。
（３）訂正ｃについて
　訂正ｃは「測量機または鏡筒部を予め設定された所定角度だけ回転させるための操作スイッチ」、「測量機および前記鏡筒部を設定された所定角度だけ回転させる回転手段」を、それぞれ、「測量機本体または鏡筒部を回転させるための予め設定された所定角度に対応した操作スイッチ」、「測量機本体および前記鏡筒部を予め設定された所定角度だけ回転させる回転手段」と限定するものであり、特許請求の範囲の減縮に相当するものである。
　そして、訂正ｃは訂正前の明細書に記載された事項に基づくものであり、また、特許請求の範囲を実質上拡張又は変更するものではない。
（４）訂正ｄ〜ｆについて
　訂正ｄ〜ｆは、前記訂正ａ〜ｃに伴い、特許請求の範囲の記載と詳細な説明の記載との整合をとるためのものであり、明りょうでない記載の釈明に相当するものである。
　また、この訂正ｄ〜ｆは訂正前の明細書に記載された事項に基づくものであり、特許請求の範囲を実質上拡張又は変更するものではない。
３．むすび
　以上のとおりであるから、前記訂正（訂正ａ〜ｆ）は、特許法等の一部を改正する法律（平成６年法律第１１６号）附則第６条第１項の規定によりなお従前の例によるとされる、特許法第１２０条の４第３項において準用する平成６年改正法による改正前の特許法第１２６条第１項ただし書き、第２項の規定に適合するので、当該訂正を認める。
【３】特許異議の申立てについての判断（取消理由についての判断）
　１．本件発明
　訂正後の請求項１、２及び４に係る発明は、訂正された明細書及び図面の記載からみて、訂正された特許請求の範囲の請求項１、２及び４に記載された次のとおりのものである。
【請求項１】
　垂直軸回りに回転可能に設けられた測量機本体と、この測量機本体に水平軸回りに回転可能に設けられた鏡筒部とを備えた測量機において、
　前記測量機本体を回転させるための予め設定された所定角度に対応した操作スイッチと、
　この操作スイッチが操作されたとき前記測量機本体を予め設定された所定角度だけ回転させる回転手段とを設けたことを特徴とする測量機（以下、「本件発明１」と言う。）。
【請求項２】
　垂直軸回りに回転可能に設けられた測量機本体と、この測量機本体に水平軸回りに回転可能に設けられた鏡筒部とを備えた測量機において、
　前記鏡筒部を回転させるための予め設定された所定角度に対応した操作スイッチと、
　この操作スイッチが操作されたとき前記鏡筒部を予め設定された所定角度だけ回転させる回転手段とを設けたことを特徴とする測量機（以下、「本件発明２」と言う。）。
【請求項４】
　垂直軸周りに回転可能に設けられた測量機本体と、この測量機本体に水平軸回りに回転可能に設けられた鏡筒部とを備えた測量機において、
　前記測量機本体または鏡筒部を回転させるための予め設定された所定角度に対応した操作スイッチと、
　この操作スイッチが操作されたとき前記測量機本体および前記鏡筒部を予め設定された所定角度だけ回転させる回転手段とを設けたことを特徴とする測量機（以下、「本件発明４」と言う。）。
　２．引用刊行物
　当審が通知した取消理由に引用したGeodimeter社１９９０年５月印刷「Geodimeter460」カタログ（以下、「引用例１」と言う）は、測量機に関するものであり、図面と共に以下の記載がある。
１．７頁左欄「SETTING OUT（設定）」の欄４〜５行目に「You  can  enter  either  bearing  and distance,or coordinates．（操作者が角度及び距離か座標のいずれかを設定入力する。）」と記載され、１２〜１４行目に「After striking the“position” key only once,the instrument will aim in the calculated direction．（“位置”ボタンを−旦押してしまえば、装置は算出された方向に照準される。）」と記載されている。
　該記載から、刊行物１に記載された測量機は、設定入力された所定角度だけ回転させるための位置ボタンを有することが言える。
２．５頁目の左欄１行目に「Geodimeter460 equipped  with precision  servomotors. Two‐face measurement and  positioning  horizontal1y and vertica1ly  are  done  very quickly and with the utmost  precision．（GEODIMETER４６０は高精度サーボモーターを備える。これにより、正反測定及び水平方向・鉛直方向の位置決めが非常に速く、且つ最も正確に行われる。）」と記載されている。
　該記載から、刊行物１の測量機は、測量機本体と鏡筒部との少なくとも一方を設定された所定角度だけ回転させるサーボモーターを有することが言える（なお、翻訳文は異議申立書中に記載されているものを採用した。）。
以上の記載を図面と併せ勘案し、かつ、前記引用例１には明記されていないものの、測量機においては、測量機本体が垂直軸回りに回転可能に、かつ鏡筒部が該測量機本体に対して水平軸周りに回転可能に設けられていることは、ごく普通の構成である（例えば、特開平２−２６２００５号公報参照）ことを考慮すると、引用例１には次の発明が記載されていることになる。
　垂直軸回りに回転可能に設けられた測量機本体と、この測量機本体に水平軸回りに回転可能に設けられた鏡筒部とを備えた測量機において、
　前記測量機本体を予め設定入力された所定角度だけ回転させるための位置ボタンと、この位置ボタンが操作されたとき前記測量機本体と鏡筒部との少なくとも一方を設定入力された所定角度だけ回転させるサーボモータとを設けた測量機（以下、「引用例１に記載された発明」という。）。
（引用例１の公知性について）
　引用例１の末頁には、９０年５月にスウェーデンにて印刷されたこと、そして刊行番号、印刷所名が明記されている。このことから、引用例１のカタログは１９９０年５月に印刷された後、刊行されたものであることがわかるが、引用例１のような製品カタログは、製品の宣伝等に使うという用途から見て、印刷後時間をおくことなく刊行するのが通常であって、９０年５月に印刷後、本願の出願日（９２年５月２２日）までに約２年の期間があることを考えると、引用例１のカタログがその期間中に刊行されたとするのが自然である。
　しかも、平成１４年６月２５日付け特許異議意見書を見ても、特許権者は引用例１の公知性について争っていない。
　以上のことを併せ考えると、引用例１のカタログは本願の出願前に頒布された刊行物であるとするのが適切である。
　
【４】対比
　（本件発明１について）
　そこで、本件発明１と引用例１に記載された発明とを対比すると、引用例１に記載された発明における、
「サーボモータ」、「位置ボタン」、「設定入力された所定角度」は、それぞれ、本件発明１における、
「回転手段」、「操作スイッチ」、「予め設定された所定角度」、
に相当し、本件発明１における「予め設定された所定角度に対応した操作スイッチ」も、引用例１に記載された発明における「予め設定入力された所定角度だけ回転させるための位置ボタン」も共に「予め設定された所定角度だけ回転させるための操作スイッチ」であるから、本件発明１と引用例１に記載された発明とは、
（一致点）
　垂直軸回りに回転可能に設けられた測量機本体と、この測量機本体に水平軸回りに回転可能に設けられた鏡筒部とを備えた測量機において、
　前記測量機本体を予め設定された所定角度だけ回転させるための操作スイッチと、この操作スイッチが操作されたとき前記測量機本体を予め設定された所定角度だけ回転させる回転手段とを設けた測量機、
で一致し、次の点で相違する。
（相違点１）
　予め設定された所定角度だけ回転させるための操作スイッチに関し、
１．本件発明１では、操作スイッチは、予め設定された所定角度に対応しているのに対し、引用例１に記載された発明では、操作スイッチは予め設定された所定角度に対応する構成を有さず、ただ、操作スイッチは、予め設定された所定角度だけ測量機本体を回転させるように構成されている点。
【５】当審の判断
　そこで、前記相違点１につき、以下に検討する。
　引用例１には正反測定を行うことが記載されているが、正反測定においては、測量機本体、及び鏡筒部を各回転軸を中心に１８０゜回転する必要のあることは技術常識である（例えば、特開昭５７−１２５８１４号公報参照）。
　また、引用例１に記載された測量機においては、測定に先立ち整準作業を行なうことは必須であるが、整準作業において測量機本体を９０゜、及び１８０゜回転する必要のあることも技術常識である（例えば、特開平２−１７９４１３号公報参照）。
　してみると、引用例１に記載された発明においても、本件発明１と同様、９０゜、１８０゜といった、所定角度分測量機本体や鏡筒部を回転させる必要のあることは、当業者が広く認識している技術的事項であると言える。
　したがって、引用例１に記載された発明において、正反測定、及び整準作業を行うにあたり、前記所定回転角度をキーボード操作等により設定入力し、操作スイッチにより測量機本体を予め設定入力された所定角度だけ回転させるようにしているものと解される。
　しかしながら、所定角度が９０゜、１８０゜といったように決まった値である場合、それをいちいち設定入力する代わりに、操作スイッチを予め設定された所定角度に対応させておき、該操作スイッチを押すことにより前記所定角度だけ対象物を回転させる構成とすることは、日常生活において、広く一般に用いられている慣用手段である（例えば、特開平１−１９０８８９号公報、特開昭５９−４６３９６号公報、特開昭５８−８２０９４号公報参照）から、引用例１に記載された発明において、正反測定、及び整準作業を行うにあたり、測量機本体、鏡筒部を回転させる所定回転角度をキーボード操作等により設定入力する代わりに、操作スイッチを予め設定された所定角度に対応させ、該操作スイッチを操作することにより、測量機本体や鏡筒部を予め設定された所定角度だけ回転させる構成とすることは、引用例１に記載された発明に前記慣用手段を施すことにより、当業者が容易になし得るところと認められる。
　そして、操作スイッチを１回操作すれば測量機本体や鏡筒部を所定角度に回転させることができるという効果も、前記慣用手段として例示した文献（特開平１−１９０８８９号公報、５頁左上欄）中の記載から、当業者が当然に予測し得る事項に過ぎない。
本件発明２について、
　本件発明１に対する判断と同様である。
本件発明４について、
　本件発明１に対する判断と同様である。
なお、特許権者は平成１４年６月２５日付け特許異議意見書において、「異議申立人は、刊行物１（すなわち引用例１）に記載されている「enter」を「設定入力」と訳しているが、「enter」には「設定」の意味はなく、単に「入力を意味するだけである。」と主張しているので、この点について検討する。
　特許権者の指摘する該当個所は、引用例１中、７頁左欄「SETTING OUT（設定）」の欄４〜５行目の「You  can  enter  either  bearing  and distance,or coordinates．（操作者が角度及び距離か座標のいずれかを設定入力する。）という文章であると認められるが、該文章は、SETTING OUT（設定）の項目中の記載なのであるから、ここに言う「enter」は、角度や距離、座標を設定するための入力を意味することは明らかである。
　してみると、「enter」に対応する「設定入力」は、前記文章の実体的内容に即した訳文と言えるものであるから、特許権者の前記主張は採用し得ない。
　
【６】むすび
　以上のとおりであるから、本件発明１、２及び４は、特許法第２９条第２項の規定により特許を受けることができない。
　したがって、本件発明１、２及び４についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年８月６日（２００２．８．６）
【訂正の要旨】
訂正の要旨
　明細書（特許第３０９０７８１号明細書、以下同じ）を本件訂正請求書に添付された訂正明細書のとおり、すなわち特許請求の範囲の減縮を目的として下記のとおり、また、明瞭でない記載の釈明を目的として、下記のとおり訂正する。
ａ．特許請求の範囲の請求項１の「垂直軸回りに回転可能に設けられた測量機本体と、この測量機本体に水平軸回りに回転可能に設けられた鏡筒部とを備えた測量機において、前記測量機本体を予め設定された所定角度だけ回転させるための操作スイッチと、この操作スイッチが操作されたとき前記測量機本体を設定された所定角度だけ回転させる回転手段とを設けた」を「垂直軸回りに回転可能に設けられた測量機本体と、この測量機本体に水平軸回りに回転可能に設けられた鏡筒部とを備えた測量機において、前記測量機本体を回転させるための予め設定された所定角度に対応した操作スイッチと、この操作スイッチが操作されたとき前記測量機本体を予め設定された所定角度だけ回転させる回転手段とを設けた」に訂正する。
ｂ．特許請求の範囲の請求項２の「垂直軸回りに回転可能に設けられた測量機本体と、この測量機本体に水平軸回りに回転可能に設けられた鏡筒部とを備えた測量機において、前記鏡筒部を予め設定された所定角度だけ回転させるための操作スイッチと、この操作スイッチが操作されたとき前記鏡筒部を設定された所定角度だけ回転させる回転手段とを設けた」を「垂直軸回りに回転可能に設けられた測量機本体と、この測量機本体に水平軸回りに回転可能に設けられた鏡筒部とを備えた測量機において、前記鏡筒部を回転させるための予め設定された所定角度に対応した操作スイッチと、この操作スイッチが操作されたとき前記鏡筒部を予め設定された所定角度だけ回転させる回転手段とを設けた」に訂正する。
ｃ．特許請求の範囲の請求項４の「垂直軸回りに回転可能に設けられた測量機本体と、この測量機本体に水平軸回りに回転可能に設けられた鏡筒部とを備えた測量機において、前記測量機または銀筒部を予め設定された所定角度だけ回転させるための操作スイッチと、この操作スイッチが操作されたとき前記測量機および前記鏡筒部を設定された所定角度だけ回転させる回転手段とを設けた」を「垂直軸周りに回転可能に設けられた測量機本体と、この測量機本体に水平軸回りに回転可能に設けられた鏡筒部とを備えた測量機において、前記測量機本体または鏡筒部を回転させるための予め設定された所定角度に対応した操作スイッチと．この操作スイッチが操作されたとき前記測量機本体および前記鏡筒部を予め設定された所定角度だけ回転させる回転手段とを設けた」に訂正する。
ｄ．明細書第３頁の【０００９】【００１０】の段落
　「【課題を解決するための手段】
　請求項１の発明は、垂直軸回りに回転可能に設けられた測量機本体と、この測量機本体に水平軸回りに回転可能に設けられた鏡筒部とを備えた測量機において、
　前記測量機本体を予め設定された所定角度だけ回転させるための操作スイッチと、この操作スイッチが操作されたとき前記測量機本体を設定された所定角度だけ
　回転させる回転手段とを設けたことを特徴とする。
　請求項２の発明は、垂直軸回りに回転可能に設けられた測量機本体と、この測量機本体に水平軸回りに回転可能に設けられた鏡筒部とを備えた測量機において、
　前記鏡筒部を予め設定された所定角度だけ回転させるための操作スイッチと、この操作スイッチが操作されたとき前記鏡筒部を設定された所定角度だけ回転させる回転手段とを設けたことを特徴とする。
　請求項３の発明は、垂直軸回りに回転可能に設けられた測量機本体と、この測量機本体に水平軸回りに回転可能に設けられた鏡筒部とを備えた測量機において、
　前記測量機本体または鏡筒部を予め設定された所定角度だけ回転させるための操作スイッチと、この操作スイッチの操作によって回転させる測量機本体または鏡筒部を切り換える切換スイッチと、前記操作スイッチが操作されたとき、切換スイッチの操作により切り換えられた測量機本体または鏡筒部を所定角度だけ回転させる回転手段とを設けたことを特徴とする。
　請求項４の発明は、垂直軸周りに回転可能に設けられた測量機本体と、この測量機本体に水平軸回りに回転可能に設けられた鏡筒部とを備えた測量機において、
　前記測量機本体または鏡筒部を予め設定された所定角度だけ回転させるための操作スイッチと、
　この操作スイッチが操作されたとき前記測量機本体および前記鏡筒部を設定された所定角度だけ回転させる回転手段とを設けたことを特徴とする。
　請求項５の発明は、少なくとも２つのスイッチを同時に操作することにより、
　前記設定された所定角度を変えることが可能なことを特徴とする。
　請求項６の発明は、垂直軸回りに回転可能に設けられた測量機本体と、この測量機本体に水平軸回りに回転可能に設けられた鏡筒部とを備えた測量機において、所定方向へ回転させる角度を少なくとも一つ表示する表示手段と、
　前記角度に対応した操作スイッチと、
　この操作スイッチを操作したときに前記表示手段に表示されている角度だけ前記測量機本体または鏡筒部を回転させる回転手段とを設けたことを特徴とする。」を
　「請求項１の発明は、垂直軸回りに回転可能に設けられた測量機本体と、この測量機本体に水平軸回りに回転可能に設けられた鏡筒部とを備えた測量機において、
　前記測量機本体を回転させるための予め設定された所定角度に対応した操作スイッチと、
　この操作スイッチが操作されたとき前記測量機本体を予め設定された所定角度だけ回転させる回転手段とを設けたことを特徴とする測量機。
　請求項２の発明は、垂直軸回りに回転可能に設けられた測量機本体と、この測量機本体に水平軸回りに回転可能に設けられた鏡筒部とを備えた測量機において、
　前記鏡筒部を回転させるための予め設定された所定角度に対応した操作スイッチと、
　この操作スイッチが操作されたとき前記鏡筒部を予め設定された所定角度だけ回転させる回転手段とを設けたことを特徴とする。
　請求項３の発明は、垂直軸回りに回転可能に設けられた測量機本体と、この測量機本体に水平軸回りに回転可能に設けられた鏡筒部とを備えた測量機において、前記測量機本体または鏡筒部を予め設定された所定角度だけ回転させるための操作スイッチと、この操作スイッチの操作によって回転させる測量機本体または鏡筒部を切り換える切換スイッチと、前記操作スイッチが操作されたとき、切換スイッチの操作により切り換えられた測量機本体または鏡筒部を所定角度だけ回転させる回転手段とを設けたことを特徴とする。
　請求項４の発明は、垂直軸周りに回転可能に設けられた測量機本体と、この測量機本体に水平軸回りに回転可能に設けられた鏡筒部とを備えた測量機において、
　前記測量機本体または鏡筒部を回転させるための予め設定された所定角度に対応した操作スイッチと、
　この操作スイッチが操作されたとき前記測量機本体および前記鏡筒部を予め設定された所定角度だけ回転させる回転手段とを設けたことを特徴とする。
　請求項５の発明は、少なくとも２つのスイッチを同時に操作することにより、前記設定された所定角度を変えることが可能なことを特徴とする請求項１ないし請求項４のいずれか記載の測量機。
　請求項６の発明は、垂直軸回りに回転可能に設けられた測量機本体と、この測量機本体に水平軸回りに回転可能に設けられた鏡筒部とを備えた測量機において、所定方向へ回転させる角度を少なくとも一つ表示する表示手段と、前記角度に対応した操作スイッチと、この操作スイッチを操作したときに前記表示手段に表示されている角度だけ前記測量機本体または鏡筒部を回転させる回転手段とを設けたことを特徴とする。」に訂正する。
ｅ．明細書第３頁の【００１１】の段落と第４頁の【００１２】の段落
　「【００１１】
　【作用】
　請求項１の発明では、操作スイッチが操作されると回転手段が測量機本体を設定された所定角度だけ回転させる。
　請求項２の発明では、操作スイッチが操作されると回転手段が測量機本体を設定された所定角度だけ回転させる。
　請求項３の発明では、操作スイッチが操作されたとき、切換スイッチの操作により切り換えられた測量機本体または鏡筒部が回転手段によって所定角度だけ回転される。
　請求項４の発明では、操作スイッチが操作されると回転手段が測量機本体および鏡筒部を設定された所定角度だけ回転させる。
　請求項６の発明では、操作スイッチを操作すると表示手段に表示されている角度だけ測量機本体または鏡筒部が回転手段により回転される。」を
　「【作用】
　請求項１の発明では、操作スイッチを操作すれば回転手段が測量機本体を予め設定した所定角度だけ回転させるものであるから、測量機本体を回転させるための角度の入力操作が不要となる。すなわち、操作スイッチを１回操作すれば測量機本体を所定角度に回転させることができる。つまり、ワンタッチ操作で測量機本体を所定角度に回転させることができる。しかも、測量機本体を回転させる度に、その都度その回転角度を入力する入力操作が一切不要となる。
　請求項２の発明では、操作スイッチを操作すれば回転手段が鏡筒部を予め設定した所定角度だけ回転させるものであるから、鏡筒部を回転させるための角度の入力操作が不要となる。すなわち、操作スイッチを１回操作すれば鏡筒部を所定角度に回転させることができる。つまり、ワンタッチ操作で鏡筒部を所定角度に回転させることができる。しかも、鏡筒部を回転させる度に、その都度その回転角度を入力する入力操作が一切不要となる。
　請求項３の発明では、操作スイッチが操作されたとき、切換スイッチの操作により切り換えられた測量機本体または鏡筒部が回転手段によって所定角度だけ回転される。
　請求項４の発明では、操作スイッチを操作すれば回転手段が測量機本体および鏡筒部を予め設定した所定角度だけ回転させるものであるから、測量機本体および鏡筒部を回転させるための角度の入力操作が不要となる。すなわち、操作スイッチを１回操作すれば測量機本体および鏡筒部を所定角度に回転させることができる。つまり、ワンタッチ操作で測量機本体および鏡筒部を所定角度に回転させることができる。しかも、測量機本体および鏡筒部を回転させる度に、その都度その回転角度を入力する入力操作が一切不要となる。
　請求項６の発明では、操作スイッチを操作すると表示手段に表示されている角度だけ測量機本体または鏡筒部が回転手段により回転される。」に訂正する。
ｆ．明細書第１１頁の【００４７】の段落
　「　【発明の効果】
　この発明によれば、測量機本体や鏡筒部を回転させる操作は簡単なものとなる。」を「測量機本体や鏡筒部を回転させるための角度の入力操作が不要となる。
　すなわち、操作スイッチを１回操作すれば測量機本体や鏡筒部を所定角度に回転させることができる。つまり、ワンタッチ操作で測量機本体や鏡筒部を所定角度に回転させることができる。しかも、測量機本体や鏡筒部を回転させる度に、その都度その回転角度を入力する入力操作が一切不要となる。」に訂正する。
（５４）【発明の名称】
測量機
（５７）【特許請求の範囲】
　【請求項１】
　垂直軸回りに回転可能に設けられた測量機本体と、この測量機本体に水平軸回りに回転可能に設けられた鏡筒部とを備えた測量機において、
　
前記測量機本体を回転させるための予め設定された所定角度に対応した操作スイッチと、
　この操作スイッチが操作されたとき前記測量機本体を
予め設定された所定角度だけ
　【請求項２】
　垂直軸回りに回転可能に設けられた測量機本体と、この測量機本体に水平軸回りに回転可能に設けられた鏡筒部とを備えた測量機において、
　
前記鏡筒部を回転させるための予め設定された所定角度に対応した操作スイッチと、
　この操作スイッチが操作されたとき前記鏡筒部を
予め設定された所定角度だけ
　【請求項３】
　垂直軸回りに回転可能に設けられた測量機本体と、この測量機本体に水平軸回りに回転可能に設けられた鏡筒部とを備えた測量機において、前記測量機本体または鏡筒部を予め設定された所定角度だけ回転させるための操作スイッチと、この操作スイッチの操作によって回転させる測量機本体または鏡筒部を切り換える切換スイッチと、前記操作スイッチが操作されたとき、切換スイッチの操作により切り換えられた測量機本体または鏡筒部を所定角度だけ回転させる回転手段とを設けたことを特徴とする測量機。
　【請求項４】
　垂直軸周りに回転可能に設けられた測量機本体と、この測量機本体に水平軸回りに回転可能に設けられた鏡筒部とを備えた測量機において、
　
前記測量機本体または鏡筒部を回転させるための予め設定された所定角度に対応した操作スイッチと、
　この操作スイッチが操作されたとき前記測量機本体および前記鏡筒部を
予め設定された所定角度だけ
　【請求項５】
　少なくとも２つのスイッチを同時に操作することにより、前記設定された所定角度を変えることが可能なことを特徴とする請求項１ないし請求項４のいずれか記載の測量機。
　【請求項６】
　垂直軸回りに回転可能に設けられた測量機本体と、この測量機本体に水平軸回りに回転可能に設けられた鏡筒部とを備えた測量機において、所定方向へ回転させる角度を少なくとも一つ表示する表示手段と、前記角度に対応した操作スイッチと、この操作スイッチを操作したときに前記表示手段に表示されている角度だけ前記測量機本体または鏡筒部を回転させる回転手段とを設けたことを特徴とする測量機。
【発明の詳細な説明】
　【０００１】
　【産業上の利用分野】
　この発明は、垂直軸線回りに回転可能に設けた測量機本体と、この測量機本体に設けられ測定対象物に向けて測定光束を射出するとともに前記測定対象物で反射する反射光束を受光する光学系とを備えた測量機に関する。
　【０００２】
　【従来の技術】
　従来、測量機は、図１２に示すように基台２００に垂直軸線２０１回りに回動可能に設けられた測量機本体２０２と、この本体２０２の水平軸２０３に回転可能に設けられた鏡筒部２０４とを備え、測量機本体２０２には、気泡管２０５と操作部２０６とが設けられている。基台２００は固定台２０９に取り付けられており、基台２００は固定台２０９に対してレベリングスクリュウ２１０によって水平状態が調整できるようになっている。この調整は気泡管２０５を見ながら行なうものである。
　【０００３】
　鏡筒部２０４には測定光束を測定対象物（図示せず）に向けて射出するとともに該測定対象物で反射する反射光束を受光する光学系を有する望遠鏡２０７が設けられている。
　【０００４】
　操作部２０６には、測量機本体２０２を垂直軸線２０１回りに回転させるためのスイッチ部２０６ａ，２０６ｂと、望遠鏡部２０４を水平軸２０３回りに回転させるスイッチ部２０６ｃ，２０６ｄと、測量機本体２０２が回転した回転角や望遠鏡部２０４が回転した回転角である高低角を表示する表示部２０８等とが設けられている。
　【０００５】
　測量を行なう際には先ず整準作業を行なう。この整準作業は、気泡管２０５を見ながら基台２０２をレベリングスクリュウ２１０によって水平状態に調整する。この後、スイッチ部２０６ａ，２０６ｂを操作して測量機本体２０２を１８０度回転させて、同様に気泡管２０５を見ながら基台２０２をレベリングスクリュウ２１０によって水平状態に調整する。次に、測量機本体２０２を９０度回転させた後、気泡管２０５を見ながら基台２００をレベリングスクリュウ２１０によって水平状態に調整する。そして、さらに測量機本体２０２を１８０度回転させた後、気泡管２０５を見ながら基台２００をレベリングスクリュウ２１０によって水平状態に調整して行なう。
　【０００６】
　この整準作業により測量機本体２０２の垂直軸線２０１を水平面に対して直交させるものである。
　【０００７】
　【発明が解決しようとする課題】
　しかしながら、従来の測量機にあっては、スイッチ部２０６ａ，２０６ｂを押している間だけ測量機本体２００が回転するようになっているので、測量機本体２００を９０度や１８０度回転させるためには、スイッチ部２０６ａ，２０６ｂを押しつづけていなければならず、非常に不便であるという問題があった。
　【０００８】
　そこで、この発明は、上記問題点に鑑みてなされたもので、その目的は、簡単な操作で測量機本体を所定の角度だけ回転させることのできる測量機を提供することにある。
　【０００９】
　【課題を解決するための手段】
　請求項１の発明は、垂直軸回りに回転可能に設けられた測量機本体と、この測量機本体に水平軸回りに回転可能に設けられた鏡筒部とを備えた測量機において、
　
前記測量機本体を回転させるための予め設定された所定角度に対応した操作スイッチと、
　この操作スイッチが操作されたとき前記測量機本体を
予め設定された所定角度だけ
　請求項２の発明は、垂直軸回りに回転可能に設けられた測量機本体と、この測量機本体に水平軸回りに回転可能に設けられた鏡筒部とを備えた測量機において、
　
前記鏡筒部を回転させるための予め設定された所定角度に対応した操作スイッチと、
　この操作スイッチが操作されたとき前記鏡筒部を
予め設定された所定角度だけ
　請求項３の発明は、垂直軸回りに回転可能に設けられた測量機本体と、この測量機本体に水平軸回りに回転可能に設けられた鏡筒部とを備えた測量機において、前記測量機本体または鏡筒部を予め設定された所定角度だけ回転させるための操作スイッチと、この操作スイッチの操作によって回転させる測量機本体または鏡筒部を切り換える切換スイッチと、前記操作スイッチが操作されたとき、切換スイッチの操作により切り換えられた測量機本体または鏡筒部を所定角度だけ回転させる回転手段とを設けたことを特徴とする。
　請求項４の発明は、垂直軸周りに回転可能に設けられた測量機本体と、この測量機本体に水平軸回りに回転可能に設けられた鏡筒部とを備えた測量機において、
　
前記測量機本体または鏡筒部を回転させるための予め設定された所定角度に対応した操作スイッチと、
　この操作スイッチが操作されたとき前記測量機本体および前記鏡筒部を
予め設定された所定角度だけ
　請求項５の発明は、少なくとも２つのスイッチを同時に操作することにより、前記設定された所定角度を変えることが可能なことを特徴とする。
　【００１０】
　請求項６の発明は、垂直軸回りに回転可能に設けられた測量機本体と、この測量機本体に水平軸回りに回転可能に設けられた鏡筒部とを備えた測量機において、所定方向へ回転させる角度を少なくとも一つ表示する表示手段と、前記角度に対応した操作スイッチと、この操作スイッチを操作したときに前記表示手段に表示されている角度だけ前記測量機本体または鏡筒部を回転させる回転手段とを設けたことを特徴とする。
　【００１１】
　【作用】
　請求項１の発明では、
操作スイッチを操作すれば回転手段が測量機本体を予め設定した所定角度だけ回転させるものであるから、測量機本体を回転させるための角度の入力操作が不要となる。すなわち、操作スイッチを１回操作すれば測量機本体を所定角度に回転させることができる。つまり、ワンタッチ操作で測量機本体を所定角度に回転させることができる。しかも、測量機本体を回転させる度に、その都度その回転角度を入力する入力操作が一切不要となる。
　請求項２の発明では、
操作スイッチを操作すれば回転手段が鏡筒部を予め設定した所定角度だけ回転させるものであるから、鏡筒部を回転させるための角度の入力操作が不要となる。すなわち、操作スイッチを１回操作すれば鏡筒部を所定角度に回転させることができる。つまり、ワンタッチ操作で鏡筒部を所定角度に回転させることができる。しかも、鏡筒部を回転させる度に、その都度その回転角度を入力する入力操作が一切不要となる。
　請求項３の発明では、操作スイッチが操作されたとき、切換スイッチの操作により切り換えられた測量機本体または鏡筒部が回転手段によって所定角度だけ回転される。
　請求項４の発明では、
操作スイッチを操作すれば回転手段が測量機本体および鏡筒部を予め設定した所定角度だけ回転させるものであるから、測量機本体および鏡筒部を回転させるための角度の入力操作が不要となる。すなわち、操作スイッチを１回操作すれば測量機本体および鏡筒部を所定角度に回転させることができる。つまり、ワンタッチ操作で測量機本体および鏡筒部を所定角度に回転させることができる。しかも、測量機本体および鏡筒部を回転させる度に、その都度その回転角度を入力する入力操作が一切不要となる。
　【００１２】
　請求項６の発明では、操作スイッチを操作すると表示手段に表示されている角度だけ測量機本体または鏡筒部が回転手段により回転される。
　【００１３】
　【実施例】
　以下、この発明に係わる測量機の実施例を図面に基づいて説明する。
　【００１４】
　図１および図２において、１は測量台、２は測点に設置した測距対象物としてのコ−ナ−キュ−ブである。その測量台１はここでは地上に設置される。この測量台１には測量機３が据え付けられている。
　【００１５】
　この測量機３は、図３ないし図５に示すように、固定台４と、この固定台４に取り付けられた基台５とを備えている。基台５はその平面５ａと固定台４の平面４ａとのなす角度がレベリングスクリューＳ，Ｓ，Ｓによって調整できるようになっている。
　【００１６】
　基台５には、鉛直方向に延びた軸受部６を有する軸受部材７が固定され、この軸受部７には鉛直方向に延びた回転軸８が回転自在に取り付けられている。回転軸８には測量機本体５０が取り付けられていて、回転軸８とともに測量機本体１０が図２に示すように基台５に対して矢印Ａ方向に回転できるようになっている。測量機本体５０には高低角を微調整する微調整ノブ５５と水平角を微調整する微調整ノブ５６が設けられている。
　【００１７】
　測量機本体５０は、両側から上方へ膨出した２つの膨出部５１，５２が形成されており、この膨出部５１，５２の間の凹部５３には鏡筒部６０が配置されている。この鏡筒部６０の側板６１，６２には水平方向へ延びてた水平軸６３，６４が設けられており、この水平軸６３，６４が膨出部６１，６２の側板６５，６６に軸受６７，６８を介して回転可能に保持されていて鏡筒部６０が図１の矢印Ｂで示すように回転できるようになっている。
　【００１８】
　測量機本体５０の回転は、測量機本体５０内に設けたモータ７０によって行なうもので、このモータ７０は測量機本体５０の側板７１に取り付けられている。モータ７０の駆動軸７２にはギア７３が設けられており、ギア７３は軸受部６に固定された平歯車７４に噛合している。平歯車７４は回転軸８と同心状になっている。これにより、モータ７０の駆動によって平歯車７４の廻りをギア７３が回転移動していき、測量機本体５０が回転軸８とともに軸線（垂直軸線）８ａ回りに回転することとなる。
　【００１９】
　回転軸８の上部には水平角目盛用目盛板７５が取り付けられており、その水平角目盛を読む水平角読取エンコーダ７６が平歯車７４に設けられている。水平角読取エンコーダ７６は水平角目盛用目盛板７５が微小角回転する毎にパルスを発生するものである。
　【００２０】
　鏡筒部６０の回転は、膨出部５２に設けたモータ８０によって行なうもので、このモータ８０の駆動軸８１にはギア８２が設けられており、ギア８２は水平軸６４に固定した平歯車８３に噛合している。これにより、モータ８０の駆動によって平歯車８３が回転して水平軸６３，６４が鏡筒部６０とともに回転する。
　【００２１】
　水平軸６３には高低角目盛用目盛板８４が取り付けられており、高低角目盛を読む高低角読取エンコーダ８５が膨出部５１に設けられている。高低角読取エンコーダ８５は、高低角目盛用目盛板８４が微小角回転する毎にパルスを発生するものである。
　【００２２】
　測量機本体５０には、図３および図６に示すように、キー操作部９０が設けられており、キー操作部９０の上部には気泡管９３が設けられている。キー操作部９０には、液晶パネルからなる表示部（表示手段）９１とキーボード９２が設けられている。表示部９１には水平角Ｈ，高低角Ｖ，測量機本体５０または鏡筒部６０を回転させる角度（＋９０度，−９０度，１８０度）が表示される。
　【００２３】
　キーボード９２には、それら角度に対応してキースイッチ（操作スイッチ）Ｆ１〜Ｆ３と、水平角／高低角を切り換えるキースイッチＦ４とが設けられており、水平角に切り換えられているときキースイッチＦ１を押すと、測量機本体５０は＋９０度回転され、キースイッチＦ２を押すと測量機本体５０は−９０度回転され、キースイッチＦ３を押すと測量機本体５０は１８０度回転される。同様に、高低角に切り換えられているときキースイッチＦ３を押すと鏡筒部６０が１８０度回転される。
　【００２４】
　Ｆ５〜Ｆ７は測量機本体５０や鏡筒部６０の回転速度を高，中，低に設定するキースイッチ、Ｔ１〜Ｔ４は回転方向を入力するキースイッチで、例えばＴ１を押している間測量機本体５０が左へ回転していく。またキースイッチＴ１，Ｔ３とキースイッチＦ１〜Ｆ３を同時に押すと、表示部９１に表示されている角度（＋９０度，−９０度，１８０度）の数値が変わるようになっている。例えば、キースイッチＴ１とキースイッチＦ１とを同時に押すと表示されている＋９０度の数値が増加していき、キースイッチＴ３とキースイッチＦ１とを同時に押すと表示されている＋９０度の数値が減少されていく。これら増減された角度は不揮発性メモリに記憶されて次回の測定に利用できるようになっている。
　【００２５】
　鏡筒部６０には、図７に示すように、視準光学系９、測距光学系１０、自動追尾光学系１１が設けられている。この視準光学系９はコーナキューブ２を視準する役割を果たし、カバーガラス１２、対物レンズ１３、第１反射部材としての光路合成プリズム１４、光路分割プリズム１５、合焦レンズ１６、ポロプリズム１７、焦点鏡１８、接眼レンズ１９を有する。対物レンズ１３は貫通孔２０を有する。光路合成プリズム１４は自動追尾光学系１１の追尾投光系１１Ａの一部を構成している。
　【００２６】
　自動追尾光学系１１は測距対象物を垂直方向、水平方向に走査して測量機本体を測距対象物に自動追尾させる役割を果たし、追尾投光系１１Ａはレーザーダイオード２１、コリメーターレンズ２２、水平方向偏向素子２３、垂直方向偏向素子２４、反射プリズム２５、２５´を有する。
　【００２７】
　レーザーダイオード２１は追尾光としての赤外レーザー光（波長９００ナノメーター）を出射し、コリメータレンズ２２はその赤外レーザー光（測定光束）を平行光束にする。水平方向偏向素子２３、垂直方向偏向素子２４には音響光学素子が用いられ、図８に示すように、水平方向偏向素子２４は赤外レーザー光を水平方向Ｈに偏向させ、垂直方向偏向素子２５は水平方向Ｈに偏向された赤外レーザー光を垂直方向Ｖに偏向させる。光路合成プリズム１４は追尾投光系１１Ａの光軸Ｏ１を対物レンズ１３の光軸である視準光学系９の光軸Ｏに合致させる第１反射部材としての役割を果たし、反射面１４ａを有する。
　【００２８】
　その反射面１４ａは波長８５０ナノメーター以下の光を透過させ、波長９００ナノメーターの光を反射する。その水平方向Ｈ、垂直方向Ｖに偏向された赤外レーザー光は、反射プリズム２５、２５´、反射面１４ａにより反射されて、対物レンズ１３に導かれ、その貫通孔２０を通して測量機本体８の外部に出射され、コーナーキューブ２が走査される。
　【００２９】
　コーナーキューブ２の走査は、図９に示すように、水平方向Ｈに走査を行い、次に垂直方向Ｖに偏向させながら水平方向Ｈに走査するという手順によって行われ、符号２６はその赤外レーザー光Ｐのコーナーキューブ２を含む面内でのビームスポットを示している。
　【００３０】
　コーナーキューブ２により反射された赤外レーザー光Ｐは対物レンズ１３の全領域により集光されて光路分割プリズム１５に導かれる。光路分割プリズム１５は反射面１５ａ、反射面１５ｂを有する。反射面１５ａは自動追尾光学系１１の追尾受光系１１Ｂに向けて赤外レーザー光Ｐを反射する。追尾受光系１１Ｂはノイズ光除去用フィルター２７、受光素子２８から大略構成され、追尾受光系１１Ｂの光軸Ｏ２も視準光学系９の光軸Ｏと合致されており、光路分割プリズム１５は赤外レーザー光を追尾受光系１１Ｂに向けて反射する第２反射部材としての役割を果たす。
　【００３１】
　測距光学系１０は投光系２９と受光系３０とからなり、投光系２９はレーザー光源３１を有し、受光系３０は受光素子３３を有する。投光系２９と受光系３０とは三角プリズム３２を有する。レーザー光源３０は測距光束としての赤外レーザー光波（測定光束）を出射する。その波長は８００ナノメーターであり、赤外レーザー光Ｐの波長とは異っている。その赤外レーザー光波は三角プリズム３２の反射面３２ａによって反射されて光路分割プリズム１５の反射面１５ｂに導かれる。
　【００３２】
　この反射面１５ｂは可視領域の光を透過し、波長８２０ナノメーターの光を含む赤外領域の光を反射させる役割を果たす。その反射面１５ｂに導かれた赤外レーザー光波は反射面１５ａを透過して、図１０に示すように対物レンズ１３の下半分の領域３４を通過して測量機本体８の外部に平面波として出射される。
　【００３３】
　赤外レーザー光波はコーナーキューブ２により反射され、カバーガラス１２を介して対物レンズ１３に戻り、その対物レンズ１３の上半分の領域３５によって集光され、光路分割プリズム１５の反射面１５ａを透過して反射面１５ｂに導かれ、この反射面１５ｂにより三角プリズム３２の反射面３２ｂに導かれ、受光素子３３に収束される。その受光素子３３の受光出力は、自動測距回路１０３（図１１参照）に入力され、コーナーキューブ２までの距離が測距される。
　【００３４】
　従って、光路分割プリズム１５は測距光学系の光軸Ｏ３と視準光学系の光軸Ｏとを合致させる第３反射部材としても機能する。
　【００３５】
　なお、可視領域の光束は、対物レンズ２０、光路分割プリズム１５、合焦レンズ１６、ポロプリズム１７を介して焦点鏡１８に導かれ、測距対象物を含めてその近傍の像が合焦レンズ１６を調節することにより焦点鏡１８に形成され、測定者はその焦点鏡１８に結像された可視像を接眼レンズ１９を介して覗くことにより測距対象物を視準できる。
　【００３６】
　図１１は測量機の制御系の構成を示したブロック図であり、図１１において、１００はレーザーダイオード２１からレーザ光を射出させたり、受光素子２８から受光信号を出力させる発光・受光回路、１０１は受光素子２８の受光信号に基づいて測定対象物の位置を検出する自動視準回路、１０２はレーザー光源３１からレーザー光を射出させたり、受光素子３３から受光信号を出力させたりする発光・受光回路、１０３は受光素子３３の受光信号に基づいて測定対象物までの距離を測定する自動測距回路である。
　【００３７】
　１０４は自動測距回路１０３が求めた距離やキースイッチＦ１〜Ｆ４，Ｔ１，Ｔ３によって設定された角度等を記憶するメモリ、１１０は自動視準回路１０１が求めた位置が望遠鏡の中心にくるようにモータを制御して測定対象物を自動追尾したり、キースイッチＦ１〜Ｆ７，Ｔ１〜Ｔ４の操作に基づいて測量機本体５０や鏡筒部６０を回転させたりするマイクロコンピュータ等からなる制御装置である。そして、制御装置１１０とモータ７０，８０とで回転手段が構成される。
　【００３８】
　また、１１１はメモリに記憶されたデータ等を外部コンピュータ１１２へ出力する外部入出力回路、１１３は自動正反観測スイッチで、このスイッチ１１３が押されると測量機本体５０や鏡筒部６０が１８０度回転される。１１４，１１５はモータ７０，８０を駆動させるドライバである。
　【００３９】
　次に上記から構成される測量機３の動作について説明する。
　【００４０】
　先ず、測量機３を測量台１に設置する。次いで、気泡管９３を見ながら基台５を水平状態となるようにレベリングスクリューＳ，Ｓ，Ｓによって調整する。この調整が終わったら、キースイッチＦ４の操作によって水平角に切り換えるとともに、キースイッチＦ３を押す。このキースイッチＦ３が押されると制御装置１１０がモータ７０を駆動させて測量機本体５０を回転させる。測量機本体５０とともに水平角目盛用目盛板７５が回転され、水平角読取エンコーダ７６から水平角目盛用目盛板７５が微小角回転する毎にパルスを発生していく。
　【００４１】
　制御装置１１０はそのパルス数をカウントしていき、そのカウント数が１８０度の回転角に対応した数になったとき、モータ７０の駆動を停止させる。これにより測量機本体５０は１８０度回転されることとなる。
　【００４２】
　そして、上記と同様にレベリングスクリューＳ，Ｓ，Ｓを調整して基台５を水平状態にする。この調整が終了したら、キースイッチＦ２を押す。キースイッチＦ２が押されると上記と同様にモータ７０が駆動されて測量機本体５０が＋９０度回転されてモータの駆動が停止される。そして、レベリングスクリューＳ，Ｓ，Ｓを調整して基台５を水平状態にする。
　【００４３】
　この調整の終了後、再度キースイッチＦ３を押して測量機本体５０を１８０度回転させ、レベリングスクリューＳ，Ｓ，Ｓの調整により基台５を水平状態にする。これにより整準作業は終了する。
　【００４４】
　このように、整準作業は、キースイッチＦ１〜Ｆ３を押せば、測量機本体５０が自動的に９０度や１８０度まで回転して停止するので、測量機本体５０が９０度や１８０度回転するまでキースイッチＦ１〜Ｆ３を押しつづける必要がないので、整準作業は簡単なものとなり非常に便利である。
　【００４５】
　整準作業が終了したら、測定対象物に測量機本体５０を向け、レーザ光源３１からレーザー光を射出させて測定対象物までの距離などを測定すればよい。
　【００４６】
　上記実施例では、表示部に測量機本体５０の回転角を表示するようにしているが、キースイッチＦ１〜Ｆ３に回転させる角度を付してそのキースイッチＦ１〜Ｆ３が押された場合、その角度だけ測量機本体５０を回転させるようにしてもよい。この場合、回転角は固定されることとなる。
　【００４７】
　【発明の効果】
　この発明によれば、
測量機本体や鏡筒部を回転させるための角度の入力操作が不要となる。すなわち、操作スイッチを１回操作すれば測量機本体や鏡筒部を所定角度に回転させることができる。つまり、ワンタッチ操作で測量機本体や鏡筒部を所定角度に回転させることができる。しかも、測量機本体や鏡筒部を回転させる度に、その都度その回転角度を入力する入力操作が一切不要となる。
【図面の簡単な説明】
　【図１】
　この発明に係わる測量機の設置状態を示す側面図、
　【図２】
　この発明に係わる測量機の設置状態を示す平面図、
　【図３】
　この発明に係わる測量機の操作側（裏側）を示した斜視図、
　【図４】
　この発明に係わる測量機の表側を示した斜視図、
　【図５】
　測量機の回転機構を示した断面図、
　【図６】
　操作部を示した正面図、
　【図７】
　測量機の光学系を示した光学配置図、
　【図８】
　自動追尾光学系による偏向を模式的に説明するための図
　【図９】
　自動追尾光学系による走査の一例を示す模式図
　【図１０】
　図３に示す対物レンズの平面図、
　【図１１】
　測量機の制御系の構成を示したブロック図、
　【図１２】
　従来の測量機を示した正面図である。
　【符号の説明】
　５０　　　　測量機本体
　６０　　　　鏡筒部
　７０　　　　モータ
　９１　　　　表示部（表示手段）
　１１０　　　制御装置
　Ｆ１〜Ｆ３　キースイッチ（操作スイッチ）